(57)【要約】【課題】  ディスプレイに対して画像の向きを切り替え可能な可搬型の端末装置で印刷が指示される場合に、適切な印刷結果物をユーザに提供すること。【解決手段】  可搬型の端末装置に搭載される制御装置は、画像８０，９０の印刷が指示される場合に、Ｗｅｂデータを用いて、プリンタが解釈可能なフォーマットを有する印刷データを生成して、プリンタに送信する。制御装置は、端末装置が縦向きの姿勢である状態で画像８０の印刷が指示される第１の場合と、端末装置が横向きの姿勢である状態で画像９０の印刷が指示される第２の場合と、のどちらでも、画像８０，９０の左右方向が印刷媒体３００の短辺に沿う印刷（即ちポートレート印刷）であって、画像８０，９０の左右方向の全長が印刷媒体３００の短辺の長さにほぼ等しくなる印刷を、プリンタに実行させるための印刷データを生成する。【選択図】  図７
2014017002.tif 000002
【特許請求の範囲】
【請求項１】
可搬型の端末装置に搭載される制御装置であって、
前記可搬型の端末装置は、
第１方向に沿った第１の長さと、前記第１方向に直交する第２方向に沿った第２の長さであって、前記第１の長さと異なる前記第２の長さと、を有する矩形形状のディスプレイと、
特定のデータによって表わされる特定の画像の上下方向が前記第１方向に沿うと共に前記特定の画像の左右方向が前記第２方向に沿って、前記特定の画像が前記ディスプレイに表示される第１の状態と、前記特定の画像の上下方向が前記第２方向に沿うと共に前記特定の画像の左右方向が前記第１方向に沿って、前記特定の画像が前記ディスプレイに表示される第２の状態と、を切り替える表示制御部と、を備え、
前記制御装置は、
前記特定の画像の印刷が指示される場合に、前記特定のデータを用いて、プリンタが解釈可能なフォーマットを有する印刷データを生成する印刷データ生成部と、
前記印刷データを前記プリンタに送信する送信部と、を備え、
前記印刷データ生成部は、
前記第１の状態で前記特定の画像の印刷が指示される第１の場合と、前記第２の状態で前記特定の画像の印刷が指示される第２の場合と、のどちらでも、前記特定の画像の左右方向が印刷媒体の短辺に沿う第１種の印刷であって、前記特定の画像の左右方向の全長が前記印刷媒体の前記短辺の長さに対応する前記第１種の印刷を、前記プリンタに実行させるための第１種の前記印刷データを生成する、制御装置。
【請求項２】
前記特定の画像の印刷が指示される場合に、前記特定の画像の印刷結果を示すプレビュー画像を表わす表示データを生成して、前記ディスプレイに供給する表示データ生成部をさらに備え、
前記表示データ生成部は、
前記第１の場合に、１枚の前記印刷媒体に対する印刷結果を示す第１種の前記プレビュー画像の上下方向が前記第１方向に沿うと共に前記第１種のプレビュー画像の左右方向が前記第２方向に沿うように、前記第１種のプレビュー画像を前記ディスプレイに表示させるための第１種の前記表示データであって、前記第１種のプレビュー画像の全体を前記ディスプレイ内に収めて表示させるための前記第１種の表示データを、前記ディスプレイに供給し、
前記第２の場合に、１枚の前記印刷媒体に対する印刷結果を示す第２種の前記プレビュー画像の上下方向が前記第２方向に沿うと共に前記第２種のプレビュー画像の左右方向が前記第１方向に沿うように、前記第２種のプレビュー画像を前記ディスプレイに表示させるための第２種の前記表示データであって、前記第２種のプレビュー画像の全体を前記ディスプレイ内に同時に収めて表示させるための前記第２種の表示データを、前記ディスプレイに供給する、請求項１に記載の制御装置。
【請求項３】
前記表示データ生成部は、ユーザによって印刷条件が設定される前に、前記第１の場合に、前記第１種の表示データを前記ディスプレイに供給し、前記第２種の場合に、前記第２種の表示データを前記ディスプレイに供給する、請求項２に記載の制御装置。
【請求項４】
前記表示データ生成部は、さらに、前記ユーザによって前記印刷条件が設定された後に、前記印刷条件に従った前記特定の画像の印刷結果を示す第３種の前記プレビュー画像を表わす第３種の表示データを生成して、前記ディスプレイに供給する、請求項３に記載の制御装置。
【請求項５】
前記表示データ生成部は、
前記ユーザによって前記印刷条件が設定される前に、前記第１の場合に、予め決められた印刷媒体のサイズを用いて、前記第１種の表示データを生成し、前記第２の場合に、前記予め決められた印刷媒体のサイズを用いて、前記第２種の表示データを生成し、
前記ユーザによって前記印刷条件が設定された後に、前記印刷条件として設定された印刷媒体のサイズを用いて、前記第３種の表示データを生成する、請求項４に記載の制御装置。
【請求項６】
前記印刷データ生成部は、
ユーザによって第１のモードが選択されている状態では、前記第１の場合と前記第２の場合とのどちらでも、前記第１種の印刷データを生成し、
前記ユーザによって第２のモードが選択されている状態では、前記第１の場合に、前記第１種の印刷データを生成し、前記第２の場合に、前記特定の画像の上下方向が前記印刷媒体の前記短辺に沿う第２種の印刷を、前記プリンタに実行させるための第２種の前記印刷データを生成する、請求項１から５のいずれか一項に記載の制御装置。
【請求項７】
前記特定のデータは、ＨＴＭＬデータである、請求項１から６のいずれか一項に記載の制御装置。
【請求項８】
可搬型の端末装置に搭載される制御装置のためのコンピュータプログラムであって、
前記可搬型の端末装置は、
第１方向に沿った第１の長さと、前記第１方向に直交する第２方向に沿った第２の長さであって、前記第１の長さと異なる前記第２の長さと、を有する矩形形状のディスプレイと、
特定のデータによって表わされる特定の画像の上下方向が前記第１方向に沿うと共に前記特定の画像の左右方向が前記第２方向に沿って、前記特定の画像が前記ディスプレイに表示される第１の状態と、前記特定の画像の上下方向が前記第２方向に沿うと共に前記特定の画像の左右方向が前記第１方向に沿って、前記特定の画像が前記ディスプレイに表示される第２の状態と、を切り替える表示制御部と、を備え、
前記コンピュータプログラムは、前記制御装置に、以下の各処理、即ち、
前記特定の画像の印刷が指示される場合に、前記特定のデータを用いて、プリンタが解釈可能なフォーマットを有する印刷データを生成する印刷データ生成処理と、
前記印刷データを前記プリンタに送信する送信処理と、を実行させ、
前記印刷データ生成処理では、
前記第１の状態で前記特定の画像の印刷が指示される第１の場合と、前記第２の状態で前記特定の画像の印刷が指示される第２の場合と、のどちらでも、前記特定の画像の左右方向が印刷媒体の短辺に沿う第１種の印刷であって、前記特定の画像の左右方向の全長が前記印刷媒体の前記短辺の長さに対応する前記第１種の印刷を、前記プリンタに実行させるための第１種の前記印刷データを生成する、
コンピュータプログラム。
【発明の詳細な説明】
【技術分野】
【０００１】
本明細書によって開示される技術は、携帯電話、ＰＤＡ（Personal Digital Assistant）、携帯型音楽プレーヤー、ノートＰＣ、タブレットＰＣ等の可搬型の端末装置に搭載される制御装置に関する。
【背景技術】
【０００２】
特許文献１には、本体と、本体に対して回転可能なディスプレイと、を備える携帯電話が開示されている。この携帯電話は、ディスプレイが縦長の位置に存在する状態では、画像の左右方向がディスプレイの短辺に沿うように画像を表示させ、ディスプレイが横長の位置に存在する状態では、画像の左右方向がディスプレイの長辺に沿うように画像を表示させる。
【先行技術文献】
【特許文献】
【０００３】
【特許文献１】特開２００１−１５６８９３号公報
【発明の概要】
【発明が解決しようとする課題】
【０００４】
特許文献１の技術では、ディスプレイで表示されている画像をプリンタに印刷させることについて、何ら考慮されていない。本明細書では、ディスプレイに対して画像の向きを切り替え可能な可搬型の端末装置で当該画像の印刷が指示される場合に、適切な印刷結果物をユーザに提供し得る技術を開示する。
【課題を解決するための手段】
【０００５】
本明細書では、可搬型の端末装置に搭載される制御装置を開示する。可搬型の端末装置は、矩形形状のディスプレイと、表示制御部と、を備える。ディスプレイは、第１方向に沿った第１の長さと、第１方向に直交する第２方向に沿った第２の長さであって、第１の長さと異なる第２の長さと、を有する。表示制御部は、特定のデータによって表わされる特定の画像の上下方向が第１方向に沿うと共に特定の画像の左右方向が第２方向に沿って、特定の画像がディスプレイに表示される第１の状態と、特定の画像の上下方向が第２方向に沿うと共に特定の画像の左右方向が第１方向に沿って、特定の画像がディスプレイに表示される第２の状態と、を切り替える。
【０００６】
制御装置は、特定の画像の印刷が指示される場合に、特定のデータを用いて、プリンタが解釈可能なフォーマットを有する印刷データを生成する印刷データ生成部と、印刷データをプリンタに送信する送信部と、を備える。印刷データ生成部は、第１の状態で特定の画像の印刷が指示される第１の場合と、第２の状態で特定の画像の印刷が指示される第２の場合と、のどちらでも、特定の画像の左右方向が印刷媒体の短辺に沿う第１種の印刷であって、特定の画像の左右方向の全長が印刷媒体の短辺の長さに対応する第１種の印刷を、プリンタに実行させるための第１種の印刷データを生成する。
【０００７】
上記の構成では、第１の状態で特定の画像の印刷が指示されても、第２の状態で特定の画像の印刷が指示されても、特定の画像の左右方向が短辺に沿っている印刷媒体が得られる。即ち、ディスプレイに対する特定の画像の向きに関わらず、特定の画像の左右方向が短辺に沿っている印刷媒体が得られる。従って、ユーザが統一性を感じ得る印刷結果物をユーザに提供することができる。特に、特定の画像の左右方向が印刷媒体の短辺に沿うために、特定の画像の左右方向が印刷媒体の長辺に沿う構成と比べて、印刷に必要な印刷媒体数を低減し得る。
【０００８】
なお、上記の制御装置の機能を実現するための制御方法、コンピュータプログラム、及び、当該コンピュータプログラムを格納するコンピュータ読取可能記憶媒体も新規で有用である。また、上記の制御装置を備える可搬型の端末装置も新規で有用である。
【図面の簡単な説明】
【０００９】
【図１】通信システムの構成を示す。
【図２】ＯＳプログラムに従って実行される処理のフローチャートを示す。
【図３】印刷アプリケーションに従って実行される処理のフローチャートを示す。
【図４】第１実施例のプレビュー画像表示処理のフローチャートを示す。
【図５】第１実施例のプレビュー画像更新処理のフローチャートを示す。
【図６】第１実施例の印刷データ生成処理のフローチャートを示す。
【図７】印刷が実行されるまでの過程を示す。
【図８】第２実施例のプレビュー画像表示処理のフローチャートを示す。
【図９】第２実施例のプレビュー画像更新処理のフローチャートを示す。
【図１０】第２実施例の印刷データ生成処理のフローチャートを示す。
【発明を実施するための形態】
【００１０】
（第１実施例）
（システムの構成）
図面を参照して第１実施例を説明する。図１に示されるように、通信システム２は、携帯端末装置１０と、プリンタ６０と、Ｗｅｂサーバ７２と、を備える。携帯端末装置１０とプリンタ６０とは、ネットワーク５０を介して、通信可能に接続されている。ネットワーク５０は、Ｗｉ−Ｆｉ（登録商標）等に準拠したローカルエリアネットワーク（ＬＡＮ）であり、アクセスポイント（ＡＰ）５２と、ネットワークケーブル５４と、を備える。ネットワーク５０は、インターネット７０に接続されている。Ｗｅｂサーバ７２は、インターネット７０に接続されている。携帯端末装置１０は、ＡＰ５２を介して、ネットワーク５０に無線接続されることが可能である。この場合には、携帯端末装置１０は、ネットワーク５０を介して、プリンタ６０と通信可能であり、さらに、ネットワーク５０及びインターネット７０を介して、Ｗｅｂサーバ７２と通信可能である。
【００１１】
（携帯端末装置１０の構成）
携帯端末装置１０は、ユーザが容易に持ち運ぶことができる端末装置（即ち可搬型の端末装置）である。携帯端末装置１０は、例えば、携帯電話、ＰＤＡ、携帯型音楽プレーヤー、ノートＰＣ、タブレットＰＣ等である。携帯端末装置１０は、ディスプレイ１２と、通信インターフェース（通信Ｉ／Ｆ）１６と、制御部２０と、を備える。各部１２，１６，２０は、バス線１８に接続されている。通信Ｉ／Ｆ１６は、携帯端末装置１０が無線通信を実行するためのＩ／Ｆである。
【００１２】
ディスプレイ１２は、様々な情報を表示するためのディスプレイである。図２には、携帯端末装置１０の外観が示されている。図２に示されるように、ディスプレイ１２は、短辺の長さがＬ１であると共に長辺の長さがＬ２である矩形形状（即ち（Ｌ２がＬ１より大きい長方形状）を有する。なお、図２に示される２つの携帯端末装置１０のうちの上の図は、ディスプレイ１２の長辺が、地表面に対して鉛直方向（即ち重力方向）に沿って伸びている様子を示す。また、下の図は、ディスプレイ１２の短辺が、地表面に対して鉛直方向（即ち重力方向）に沿って伸びている様子を示す。以下では、図２のうちの上の図の状態について、「携帯端末装置１０が縦向きの姿勢である」と表現することあり、図２のうちの下の図の状態について、「携帯端末装置１０が横向きの姿勢である」と表現することがある。なお、本実施例のディスプレイ１２は、いわゆるタッチパネルであり、ユーザによって操作される操作部を兼ねている。
【００１３】
制御部２０は、ＣＰＵ２２と、プログラム記憶領域２４と、を備える。ＣＰＵ２２は、プログラム記憶領域２４に格納されているプログラム２６，２８に従って、様々な処理を実行する。ＣＰＵ２２がＯＳプログラム２６に従って処理を実行することによって、表示制御部３０の機能が実現される。また、ＣＰＵ２２が印刷アプリケーション２８に従って処理を実行することによって、印刷データ生成部４０、送信部４２、及び、表示データ生成部４４の各機能が実現される。なお、ＯＳプログラム２６は、携帯端末装置１０の出荷段階において、携帯端末装置１０に予めインストールされている。また、印刷アプリケーション２８は、例えば、プリンタ６０のベンダによって提供されるサーバからダウンロードされることによって、携帯端末装置１０にインストールされる。なお、本実施例に代えて、印刷アプリケーション２８は、携帯端末装置１０の出荷段階において、携帯端末装置１０に予めインストールされていてもよいし、ＣＤ等の記憶媒体（メディア）から携帯端末装置１０にインストールされてもよい。
【００１４】
（ＯＳプログラム２６に従って実行される処理）
次いで、図２を参照して、ＯＳプログラム２６に従って実行される処理の内容について説明する。なお、以下では、Ｗｅｂデータによって表わされる画像をディスプレイ１２に表示するための処理を中心に説明する。実際には、ＯＳプログラム２６は、他の様々な機能を実現するが、それらの機能についての説明を省略する。
【００１５】
ユーザは、ディスプレイ１２を操作することによって、Ｗｅｂサーバ７２にアクセスするための指示を携帯端末装置１０に与えることができる。この場合、Ｓ２において、表示制御部３０（図１参照）は、Ｗｅｂサーバ７２にアクセスして、Ｗｅｂサーバ７２からＨＴＭＬ（Hyper Text Markup Language）形式のＷｅｂデータを取得する。
【００１６】
次いで、Ｓ４において、表示制御部３０は、携帯端末装置１０に内蔵されている図示省略の姿勢センサ（例えば加速度センサ）の検出値に基づいて、携帯端末装置１０の姿勢を判断する。具体的に言うと、表示制御部３０は、携帯端末装置１０が、縦向きの姿勢（図２のうちの上の図の状態）であるのか、横向きの姿勢で（図２のうちの下の図の状態）あるのか、を判断する。なお、Ｓ４では、表示制御部３０は、携帯端末装置１０が縦向き及び横向きのどちらの姿勢であるのかを厳密に判断するのではなく、携帯端末装置１０が縦向き及び横向きのどちらの姿勢に近いのかを判断する。従って、例えば、携帯端末装置１０が、ディスプレイ１２の中央を回転中心として、縦向きの姿勢から時計回りに３０度回転した状態では、表示制御部３０は、Ｓ４でＹＥＳ（縦向きの姿勢に近い）と判断する。また、例えば、携帯端末装置１０が、ディスプレイ１２の中央を回転中心として、縦向きの姿勢から時計回りに６０度回転した状態では、表示制御部３０は、Ｓ４でＮＯ（横向きの姿勢に近い）と判断する。なお、以下の処理でも、携帯端末装置１０の姿勢が判断される場合（例えば図４のＳ４２、図５のＳ６２）には、Ｓ４と同様の判断が実行される。
【００１７】
Ｓ４でＹＥＳの場合（縦向きの姿勢に近い場合）には、Ｓ６において、表示制御部３０は、Ｓ２で取得されたＨＴＭＬ形式のＷｅｂデータを用いて、ＲＧＢのＢＭＰ形式の縦向き用画像データを生成する。Ｗｅｂデータでは、通常、Ｗｅｂデータ（テキストデータ、画像データ等）によって表わされる画像（図２の例では「Ａ」〜「Ｌ」のアルファベット）の上下方向及び左右方向が予め決められている。本実施例では、「Ａ」、「Ｂ」、「Ｃ」の順に左から右に配列され、「Ａ」、「Ｄ」、「Ｇ」、「Ｊ」の順に上から下に配列される。即ち、図２の上下方向が画像の上下方向であり、図２の左右方向が画像の左右方向である。Ｓ６では、表示制御部３０は、Ｗｅｂデータによって表わされる画像の上下方向がディスプレイ１２の長辺に沿うとともに、当該画像の左右方向がディスプレイ１２の短辺に沿うように、縦向き用画像データを生成する。なお、本実施例では、ディスプレイ１２に表示される画像８０の左右方向の全長（「Ａ」の左端から「Ｃ」の右端までの長さ）が、ディスプレイ１２の短辺の長さにほぼ等しくなるように、縦向き用画像データが生成される。
【００１８】
Ｓ６では、表示制御部３０は、さらに、縦向き用画像データをディスプレイ１２に供給する。この結果、図２のうちの上の図に示されるように、各アルファベットを含む画像８０がディスプレイ１２に表示される。なお、ユーザがディスプレイ１２の表示を下方向にスクロールさせれば、「Ａ」〜「Ｌ」のアルファベットの代わりに、「Ａ」〜「Ｌ」のアルファベットよりも下に配置されるべき他の画像が、ディスプレイ１２に表示される。Ｓ６を終えると、Ｓ９に進む。
【００１９】
一方において、Ｓ４でＮＯの場合（横向きの姿勢に近い場合）には、Ｓ８において、表示制御部３０は、Ｓ２で取得されたＨＴＭＬ形式のＷｅｂデータを用いて、ＲＧＢのＢＭＰ形式の横向き用画像データを生成する。Ｓ８では、表示制御部３０は、Ｗｅｂデータによって表わされる画像の上下方向がディスプレイ１２の短辺に沿うとともに、当該画像の左右方向がディスプレイ１２の長辺に沿うように、横向き用画像データを生成する。Ｓ８では、表示制御部３０は、さらに、横向き用画像データをディスプレイ１２に供給する。この結果、図２のうちの下の図に示されるように、各アルファベットを含む画像９０がディスプレイ１２に表示される。
【００２０】
なお、本実施例では、ディスプレイ１２に表示される画像９０の左右方向の全長（「Ａ」の左端から「Ｃ」の右端までの長さ）が、ディスプレイ１２の長辺の長さにほぼ等しくなるように、横向き用画像データが生成される。当然のことながら、ディスプレイ１２の長辺は、ディスプレイ１２の短辺よりも長い。このために、横向き用画像データによって表わされる画像９０を構成する部分画像（例えば１個のアルファベット「Ａ」）のサイズは、縦向き用画像データによって表わされる画像８０を構成する同じ部分画像のサイズよりも大きい。従って、図２のうちの上の図に示されるように、縦向き用画像データがディスプレイ１２に供給される場合には、アルファベット「Ａ」〜「Ｌ」が表示されるが、図２のうちの下の図に示されるように、横向き用画像データがディスプレイ１２に供給される場合には、アルファベット「Ａ」〜「Ｆ」のみが表示される。なお、変形例では、横向き用画像データによって表わされる画像９０を構成する部分画像のサイズと、縦向き用画像データによって表わされる画像８０を構成する同じ部分画像のサイズと、が同じでもよい。Ｓ８を終えると、Ｓ９に進む。
【００２１】
Ｓ９では、表示制御部３０は、Ｗｅｂデータによって表わされる画像８０，９０をディスプレイ１２に表示するのを終了するための操作が実行されたのか否かを判断する。ここでＮＯの場合、表示制御部３０は、Ｓ４に戻って、携帯端末装置１０の姿勢が変化することを監視する。例えば、携帯端末装置１０が縦向きの姿勢から横向きの姿勢に変化する場合には、表示制御部３０は、Ｓ４でＮＯと判断し、Ｓ８において、横向き用画像データを生成して、ディスプレイ１２に供給する。また、例えば、携帯端末装置１０が横向きの姿勢から縦向きの姿勢に変化する場合には、表示制御部３０は、Ｓ４でＹＥＳと判断し、Ｓ６において、縦向き用画像データを生成して、ディスプレイ１２に供給する。即ち、携帯端末装置１０は、携帯端末装置１０の姿勢に応じて、ディスプレイ１２に対する画像８０，９０の向きを切り替える。なお、Ｓ９でＹＥＳの場合には、Ｗｅｂデータによって表わされる画像８０，９０の表示が終了する。
【００２２】
（印刷アプリケーション２８に従って実行される処理）
次いで、図３を参照して、印刷アプリケーション２８に従って実行される処理の内容について説明する。ユーザは、図２のうちの上の図又は下の図に示されるように、Ｗｅｂデータによって表わされる画像８０，９０がディスプレイ１２に表示されている状態で、ディスプレイ１２を操作することによって、印刷アプリケーション２８を起動するための指示を携帯端末装置１０に与えることができる。この場合、図３の処理が開始される。
【００２３】
（プレビュー画像表示処理）
まず、Ｓ１０において、表示データ生成部４４（図１参照）は、プレビュー画像表示処理を実行する。図４は、プレビュー画像表示処理のフローチャートを示す。Ｓ４２では、表示データ生成部４４は、携帯端末装置１０の姿勢を判断する。携帯端末装置１０が縦向きの姿勢である場合には、表示データ生成部４４は、Ｓ４２でＹＥＳと判断し、Ｓ４４に進む。Ｓ４４では、表示データ生成部４４は、Ｗｅｂデータによって表わされる画像８０（図２参照）のポートレート印刷（即ち印刷対象の画像の左右方向が印刷媒体の短辺に沿う印刷）の結果を示すプレビュー画像を表わす縦向き用プレビュー画像データを生成して、ディスプレイ１２に供給する。この結果、プレビュー画像１００がディスプレイ１２に表示される。プレビュー画像１００は、印刷媒体の輪郭１０２と、Ｗｅｂデータによって表わされる画像８０に対応する画像１０４（即ちアルファベット「Ａ」〜「Ｌ」）と、を示す。
【００２４】
Ｓ４４の処理の内容について、より具体的に説明する。Ｓ４４の段階では、ユーザによって印刷条件が未だに選択されていないために、表示データ生成部４４は、予め決められている印刷条件（以下では「所定の印刷条件」と呼ぶ）を用いて、プレビュー画像データを生成する。本実施例では、上記の所定の印刷条件は、Ａ４サイズの印刷媒体を用いたカラー印刷である。従って、表示データ生成部４４は、プレビュー画像１００内の輪郭１０２の縦横比が、Ａ４サイズの縦横比である１：ルート２になるように、プレビュー画像データを生成する。また、表示データ生成部４４は、プレビュー画像１００内の画像１０４がカラー画像になるように、プレビュー画像データを生成する。なお、本実施例では、さらに、上記の所定の印刷条件として、予め決められた余白のサイズを採用している。印刷媒体の短辺の両端のそれぞれの余白のサイズは、印刷媒体の短辺の長さの１／１０よりも小さい。従って、画像１０４の左右方向の全長（「Ａ」の左端から「Ｃ」の右端までの長さ）は、輪郭１０２の短辺の長さにほぼ等しい。なお、変形例では、上記の所定の印刷条件として、余白なしを採用してもよい。この変形例では、画像１０４の左右方向の全長は、輪郭１０２の短辺の長さに一致する。なお、短辺方向の余白と同様に、印刷媒体の長辺の両端のそれぞれの余白のサイズは、印刷媒体の長辺の長さの１／１０よりも小さい。従って、画像１０４の上下方向の全長（「Ａ」の上端から「Ｊ」の下端までの長さ）は、輪郭１０２の長辺の長さにほぼ等しい。
【００２５】
Ｓ４４では、さらに、表示データ生成部４４は、プレビュー画像１００の左右方向がディスプレイ１２の短辺に沿うとともに、プレビュー画像１００の上下方向がディスプレイ１２の長辺に沿うように、プレビュー画像データを生成する。なお、プレビュー画像１００の左右方向は、プレビュー画像１００内の画像１０４の左右方向（即ち「Ａ」、「Ｂ」、「Ｃ」が並ぶ方向）に対応し、プレビュー画像１００の上下方向は、プレビュー画像１００内の画像１０４の上下方向（即ち「Ａ」、「Ｄ」、「Ｇ」、「Ｊ」が並ぶ方向）に対応する。さらに、Ｓ４４では、表示データ生成部４４は、１枚の印刷媒体に対する印刷結果を示すプレビュー画像１００の全体がディスプレイ１２内に収まるように、プレビュー画像データを生成する。なお、表示データ生成部４４は、プレビュー画像１００の全体がディスプレイ１２内に収まる範囲内で可能な限り、プレビュー画像１００の全体のサイズが大きくなるように、プレビュー画像データを生成する。Ｓ４４を終えると、プレビュー画像表示処理が終了する。
【００２６】
一方において、携帯端末装置１０が横向きの姿勢である場合には、表示データ生成部４４は、Ｓ４２でＮＯと判断し、Ｓ４６に進む。Ｓ４６では、表示データ生成部４４は、Ｗｅｂデータによって表わされる画像８０（図２参照）のポートレート印刷の結果を示すプレビュー画像を表わす横向き用プレビュー画像データを生成して、ディスプレイ１２に供給する。この結果、プレビュー画像１１０がディスプレイ１２に表示される。プレビュー画像１１０は、印刷媒体の輪郭１１２と、Ｗｅｂデータによって表わされる画像８０に対応する画像１１４（即ちアルファベット「Ａ」〜「Ｌ」）と、を示す。
【００２７】
Ｓ４６では、Ｓ４４と同様に、表示データ生成部４４は、上記の所定の印刷条件を用いて、プレビュー画像データを生成する。従って、プレビュー画像１１０内の輪郭１１２の縦横比は、１：ルート２であり、プレビュー画像１１０内の画像１１４は、カラー画像である。Ｓ４６では、さらに、表示データ生成部４４は、プレビュー画像１１０の左右方向（即ち「Ａ」、「Ｂ」、「Ｃ」が並ぶ方向）がディスプレイ１２の長辺に沿うとともに、プレビュー画像１１０の上下方向（即ち「Ａ」、「Ｄ」、「Ｇ」、「Ｊ」が並ぶ方向）がディスプレイ１２の短辺に沿うように、プレビュー画像データを生成する。その他の点は、Ｓ４４と同様である。Ｓ４６を終えると、プレビュー画像表示処理が終了する。
【００２８】
上述したように、本実施例では、プレビュー画像表示処理が実行されるために、ユーザは、ディスプレイ１２で表示されている画像８０，９０が実際に印刷される前に、印刷結果を確認することができる。特に、ユーザによって印刷条件が設定される前に（即ち印刷アプリケーション２８が起動された直後に）、プレビュー画像１００等が表示されるために、ユーザは、プレビュー画像１００等を迅速に確認することができる。また、１枚の印刷媒体に対応するプレビュー画像１００等の全体がディスプレイ１２に収まるように表示されるために、ユーザは、プレビュー画像１００等を確認し易い。
【００２９】
（プレビュー画像表示処理後の処理）
プレビュー画像表示処理が終了すると、図３のＳ１２に進む。Ｓ１２では、制御部２０は、検索パケットをネットワーク５０（図１参照）に送信する。この結果、ネットワーク５０に接続されているプリンタ６０は、応答パケットを携帯端末装置１０に送信する。ネットワーク５０に他のプリンタ（図示省略）がさらに接続されている場合には、当該他のプリンタも、応答パケットを携帯端末装置１０に送信する。応答パケットは、送信元のプリンタのノード名、ＩＰアドレス等を含む。制御部２０は、各プリンタのノード名をディスプレイ１２に表示させる。ユーザは、ディスプレイ１２を操作することによって、１個のプリンタのノード名を選択することができる。この場合、制御部２０は、Ｓ１４でＹＥＳと判断し、Ｓ１６に進む。本実施例では、プリンタ６０のノード名が選択されたものとして、以下の説明を続ける。
【００３０】
Ｓ１６では、制御部２０は、プリンタ６０が実行可能な印刷条件をプリンタ６０に問い合わせる。この結果、制御部２０は、プリンタ６０が実行可能な印刷条件を示す情報を取得する。なお、プリンタ６０が実行可能な印刷条件は、例えば、印刷媒体のサイズ（Ａ４サイズ、Ｌｅｔｔｅｒサイズ等）、印刷媒体の種類（普通紙、光沢紙等）、印刷の色数（カラー印刷、モノクロ印刷）、両面印刷の可否等を含む。
【００３１】
次いで、Ｓ１８において、制御部２０は、Ｓ１６で取得された情報に基づいて、プリンタ６０が実行可能な印刷条件をディスプレイ１２に表示させる。ユーザは、ディスプレイ１２を操作することによって、所望の印刷条件を設定（即ち選択）することができる。この場合、制御部２０は、Ｓ２０でＹＥＳと判断し、Ｓ２２に進む。なお、本実施例では、印刷媒体のサイズとして「Ｌｅｔｔｅｒサイズ」が設定され、印刷の色数として「モノクロ印刷」が設定されたものとして、以下の説明を続ける。
【００３２】
（プレビュー画像更新処理）
次いで、Ｓ２２のプレビュー画像更新処理の内容について説明する。図５は、プレビュー画像更新処理のフローチャートを示す。携帯端末装置１０が縦向きの姿勢である場合には、表示データ生成部４４は、Ｓ６２でＹＥＳと判断し、Ｓ６４に進む。Ｓ６４の処理は、設定済みの印刷条件（即ちモノクロ印刷、Ｌｅｔｔｅｒサイズ）が利用される点を除くと、図４のＳ４４の処理と同様である。Ｓ６４の処理の結果、図４のプレビュー画像１００に代えて、プレビュー画像２００がディスプレイ１２に表示される。プレビュー画像２００内の輪郭２０２の縦横比は、Ｌｅｔｔｅｒサイズの縦横比である８．５：１１であり、プレビュー画像２００内の画像２０４は、モノクロ画像である。なお、図４のプレビュー画像表示処理の場合と比べて、印刷媒体の縦横比が変わるために、プレビュー画像２００内の画像２０４の一部（「Ｊ」、「Ｋ」、「Ｌ」の一部）が欠損している。Ｓ６４を終えると、プレビュー画像更新処理が終了する。
【００３３】
一方において、携帯端末装置１０が横向きの姿勢である場合には、表示データ生成部４４は、Ｓ６２でＮＯと判断し、Ｓ６６に進む。Ｓ６６の処理は、設定済みの印刷条件（即ちモノクロ印刷、Ｌｅｔｔｅｒサイズ）が利用される点を除くと、図４のＳ４６の処理と同様である。Ｓ６６の処理の結果、図４のプレビュー画像１１０に代えて、８．５：１１の縦横比を有する輪郭２１２と、モノクロ画像である画像２１４と、を示すプレビュー画像２１０が、ディスプレイ１２に表示される。Ｓ６６を終えると、プレビュー画像更新処理が終了する。
【００３４】
上述したように、本実施例では、プレビュー画像更新処理が実行されるために、例えば、ユーザによってモノクロ印刷が設定される場合には、モノクロ印刷の印刷結果を示すプレビュー画像２００等が表示される。また、例えば、ユーザによって印刷媒体のサイズ（例えばＬｅｔｔｅｒサイズ）が設定される場合には、そのサイズの縦横比に従ったプレビュー画像２００等が表示される。ユーザは、自身が希望する印刷条件に従った印刷結果を示すプレビュー画像２００等を確認することができる。
【００３５】
（プレビュー画像更新処理後の処理）
プレビュー画像更新処理が終了すると、図３のＳ２４に進む。Ｓ２４では、制御部２０は、ユーザによって印刷開始が指示されることを監視する。ユーザは、図５のプレビュー画像更新処理で表示されるプレビュー画像２００等を見た後に、ディスプレイ１２を操作することによって、印刷開始を指示することができる。この場合、制御部２０は、Ｓ２４でＹＥＳと判断し、Ｓ２８に進む。なお、ユーザは、印刷開始を指示する前に、携帯端末装置１０の姿勢を変化させることができる。制御部２０は、携帯端末装置１０の姿勢が変化すること（即ち、縦向きの姿勢に近い状態から横向きの姿勢に近い状態に変化すること、又は、横向きの姿勢に近い状態から縦向きの姿勢に近い状態に変化すること）を監視している（Ｓ２６）。ここでＹＥＳの場合、表示データ生成部４４は、Ｓ２２のプレビュー画像更新処理（図５参照）を再び実行する。この結果、例えば、縦向きの姿勢から横向きの姿勢に変化した場合には、プレビュー画像２００に代えて、プレビュー画像２１０が新たに表示される。
【００３６】
（印刷データ生成処理）
続いて、Ｓ２８の印刷データ生成処理の内容について説明する。図６は、印刷データ生成処理のフローチャートを示す。Ｓ８２では、印刷データ生成部４０は、ポートレート印刷用の印刷データを生成する。さらに、Ｓ８２では、送信部４２は、図３のＳ１２で取得されたプリンタ６０のＩＰアドレスを送信先として、ポートレート印刷用の印刷データを送信する。この結果、プリンタ６０は、ポートレート印刷用の印刷データを用いて、印刷媒体３００に画像３０２を印刷する。
【００３７】
Ｓ８２の処理の内容について、詳しく説明する。プリンタ６０は、通常、ＪＰＥＧ形式のデータを解釈可能である。従って、本実施例では、印刷データ生成部４０は、図２のＳ２で取得されたＷｅｂデータを用いて、ＲＧＢのビットマップデータを生成し、そのビットマップデータを圧縮することによってＪＰＥＧ形式の印刷データを生成する。
【００３８】
さらに、印刷データ生成部４０は、設定済みの印刷条件（即ち、モノクロ印刷、Ｌｅｔｔｅｒサイズ）を用いて、ポートレート印刷用の印刷データを生成する。即ち、モノクロ印刷をプリンタ６０に実行させるために、印刷データ生成部４０は、ビットマップデータを構成する各画素のＲＧＢ値が同じになるように、ビットマップデータを生成する。また、Ｌｅｔｔｅｒサイズの印刷媒体に対する印刷をプリンタ６０に実行させるために、印刷データ生成部４０は、Ｌｅｔｔｅｒサイズの印刷媒体の短辺の長さ及び長辺の長さに対応する画素数を有するビットマップデータを生成する。さらに、Ｗｅｂデータによって表わされる画像８０（図２参照）のポートレート印刷をプリンタ６０に実行させるために、印刷データ生成部４０は、印刷されるべき画像３０２の左右方向（即ち「Ａ」、「Ｂ」、「Ｃ」が並ぶ方向）が印刷媒体の短辺に沿うとともに、当該画像３０２の上下方向（即ち「Ａ」、「Ｄ」、「Ｇ」、「Ｈ」が並ぶ方向）が印刷媒体の長辺に沿うように、ビットマップデータを生成する。なお、印刷データ生成部４０は、予め決められた余白のサイズを用いて、ビットマップデータを生成する。ここでの余白のサイズは、プレビュー画像の場合と同様である（例えば、短辺方向の余白のサイズは、短辺の長さの１／１０よりも小さい）。従って、画像３０２の左右方向の全長（「Ａ」の左端から「Ｃ」の右端までの長さ）は、印刷媒体３００の短辺の長さにほぼ等しい。なお、変形例では、余白なしを採用してもよい。この変形例では、画像３０２の左右方向の全長は、印刷媒体３００の短辺の長さに等しい。Ｓ８２を終えると、印刷データ生成処理が終了する。
【００３９】
（本実施例の効果）
図７は、携帯端末装置１０の姿勢に応じて、ディスプレイ１２に表示される画像と、印刷媒体３００に印刷される画像と、が変化する様子を示す。なお、図７内の複数個の図のうち、「ポートレート印刷固定モード」に対応する各図は、第１実施例で実現される。図７内の「表示依存モード」は、後述の第２実施例で利用される。携帯端末装置１０が縦向きの姿勢である状態で、印刷アプリケーション２８の起動指示が与えられると、プレビュー画像１００が表示される（図４のＳ４４）。次いで、印刷条件が設定されると、プレビュー画像２００が表示され（図５のＳ６４）、印刷開始指示が与えられると、印刷媒体３００に対するポートレート印刷が実行される（図６のＳ８２）。また、携帯端末装置１０が横向きの姿勢である状態で、印刷アプリケーション２８の起動指示が与えられると、プレビュー画像１１０が表示される（図４のＳ４６）。次いで、印刷条件が設定されると、プレビュー画像２１０が表示され（図５のＳ６６）、印刷開始指示が与えられると、印刷媒体３００に対するポートレート印刷が実行される（図６のＳ８２）。即ち、本実施例では、端末装置１０が縦向きの姿勢である状態と、端末装置１０が横向きの姿勢である状態と、のどちらの状態で印刷アプリケーション２８の起動指示が与えられても、ポートレート印刷が実行される。
【００４０】
例えば、携帯端末装置１０が縦向きの姿勢である状態で印刷アプリケーション２８の起動指示が与えられる場合に、ポートレート印刷をプリンタ６０に実行させ、携帯端末装置１０が横向きの姿勢である状態で印刷アプリケーション２８の起動指示が与えられる場合に、ランドスケープ印刷（即ち印刷対象の画像の左右方向が印刷媒体の長辺に沿う印刷）をプリンタ６０に実行させる構成（以下では「比較例の携帯端末装置」と呼ぶ）が考えられる。比較例の携帯端末装置では、ディスプレイに対する画像の向きに応じて、印刷媒体に対する画像の向きが変わる。従って、例えば、ユーザが、比較例の携帯端末装置が縦向きの姿勢である状態で表示されている第１の画像の印刷を指示し、次いで、比較例の携帯端末装置が横向きの姿勢である状態で表示されている第２の画像の印刷を指示すれば、第１の画像の左右方向が短辺に沿っている第１の印刷媒体（即ちポートレート印刷の結果物）が得られるともに、第２の画像の左右方向が長辺に沿っている第２の印刷媒体（即ちランドスケープ印刷の結果物）が得られる。例えば、上記の第１の画像が上位層のＷｅｂページ（例えばトップページ）であり、上記の第２の画像が上位層のＷｅｂページからリンクしている下位層のＷｅｂページである場合には、第１の印刷媒体に対する上位層のＷｅｂページの向きと、第２の印刷媒体に対する下位層のＷｅｂページの向きと、が変わってしまう。即ち、上記の比較例の携帯端末装置では、第１の印刷媒体と第２の印刷媒体とで、印刷媒体に対する画像の向きが変わってしまい、ユーザが統一性を感じ得ない印刷結果物がユーザに提供される。
【００４１】
これに対し、本実施例の携帯端末装置１０では、携帯端末装置１０が縦向きの姿勢である状態で表示されている画像８０（図２参照）の印刷の指示が与えられても、携帯端末装置１０が横向きの状態で表示されている画像９０（図２参照）の印刷の指示が与えられても、画像８０等の左右方向が短辺に沿っている印刷媒体３００が得られる。即ち、ディスプレイ１２に対する画像８０等の向きに関わらず、ポートレート印刷が実行される。従って、ユーザが統一性を感じ得る印刷結果物をユーザに提供することができる。特に、画像８０等の左右方向が印刷媒体３００の短辺に沿うために、即ち、画像８０等の上下方向が印刷媒体３００の長辺に沿うために、画像８０等の左右方向が印刷媒体３００の長辺に沿う構成（ランドスケープ印刷）と比べて、印刷に必要な印刷媒体数を低減し得る。さらに、本実施例での印刷の対象であるＷｅｂデータは、上下方向に比較的に長いデータ構成を有している可能性が高い。従って、印刷に必要な印刷媒体数を低減するという効果が顕著に現われる。さらに、本実施例では、画像８０等の左右方向の全長が印刷媒体３００の短辺の長さにほぼ等しいために、画像８０等の左右方向の全長が印刷媒体３００の短辺の長さよりも大幅に小さくなること（即ち印刷媒体に対して画像８０等が大幅に小さく印刷されること）を抑制することができる。本実施例によると、ディスプレイ１２に対して画像８０等の向きを切り替え可能な可搬型の端末装置１０で印刷が指示される場合に、適切な印刷結果物をユーザに提供し得る。
【００４２】
本実施例の各要素と本発明の各要素との対応関係を記載しておく。図２のＳ２で取得される「Ｗｅｂデータ」が「特定のデータ」の一例である。図７において、画像８０が表示されている状態で印刷アプリケーション２８が起動される場合、画像９０が表示されている状態で印刷アプリケーション２８が起動される場合が、それぞれ、「第１の場合」、「第２の場合」の一例である。また、図６のＳ８２で生成される印刷データが、「第１種の印刷データ」の一例である。また、図４のプレビュー画像１００、プレビュー画像１１０、図５のプレビュー画像２００が、それぞれ、「第１種のプレビュー画像」、「第２種のプレビュー画像」、「第３種のプレビュー画像」の一例である。
【００４３】
（第２実施例）
第１実施例と異なる点を中心に説明する。本実施例では、印刷アプリケーション２８を用いて、プリンタ６０に印刷を実行させるための２つのモードが存在する。一方のモードは、ディスプレイ１２に対する画像の向き（即ち携帯端末装置１０の姿勢）に関わらず、ポートレート印刷をプリンタ６０に実行させるためのモード（以下では「ポートレート印刷固定モード」と呼ぶ）である。他方のモードは、ディスプレイ１２に対する画像の向き（即ち携帯端末装置１０の姿勢）に応じて、ポートレート印刷とランドスケープ印刷とのどちらかをプリンタ６０に実行させるためのモード（以下では「表示依存モード」と呼ぶ）である。ユーザは、ディスプレイ１２を操作（タッチ）することによって、ポートレート印刷固定モードと表示依存モードとのうちの１つのモードを選択することができる。制御部２０内の図示省略のメモリには、ユーザによって選択されたモードを示す情報が格納される。
【００４４】
（プレビュー画像表示処理）
本実施例では、図３のＳ１０で実行されるプレビュー画像表示処理（図４）の内容が、第１実施例と異なる。図８は、本実施例のプレビュー画像表示処理のフローチャートを示す。Ｓ４０において、表示データ生成部４４は、図示省略のメモリ内の情報を読み込むことによって、ポートレート印刷固定モードと表示依存モードとのうちのどちらのモードがユーザによって選択されているのかを判断する。ポートレート印刷固定モードが選択されている場合には、表示データ生成部４４は、Ｓ４０でＹＥＳと判断し、Ｓ４２に進む。また、表示依存モードが選択されている場合には、表示データ生成部４４は、Ｓ４０でＮＯと判断し、Ｓ４８に進む。ポートレート印刷固定モードの場合に実行されるＳ４２〜Ｓ４６は、第１実施例の図４のＳ４２〜Ｓ４６と同様である。
【００４５】
（表示依存モード）
Ｓ４８では、表示データ生成部４４は、携帯端末装置１０の姿勢を判断する。携帯端末装置１０が縦向きの姿勢である場合には、表示データ生成部４４は、Ｓ４８でＹＥＳと判断し、Ｓ４４に進む。一方において、携帯端末装置１０が横向きの姿勢である場合には、表示データ生成部４４は、Ｓ４８でＮＯと判断し、Ｓ５０に進む。Ｓ５０では、表示データ生成部４４は、Ｗｅｂデータによって表わされる画像９０（図２参照）のランドスケープ印刷の結果を示すプレビュー画像を表わす横向き用プレビュー画像データを生成して、ディスプレイ１２に供給する。この結果、プレビュー画像１２０がディスプレイ１２に表示される。プレビュー画像１２０は、印刷媒体の輪郭１２２と、Ｗｅｂデータによって表わされる画像９０に対応する画像１２４（即ちアルファベット「Ａ」〜「Ｆ」）と、を示す。
【００４６】
Ｓ５０では、Ｓ４４と同様に、表示データ生成部４４は、上記の所定の印刷条件（Ａ４の印刷媒体を用いたカラー印刷）を用いて、プレビュー画像データを生成する。従って、プレビュー画像１２０内の輪郭１２２の縦横比は、１：ルート２であり、プレビュー画像１２０内の画像１２４は、カラー画像である。Ｓ５０では、さらに、表示データ生成部４４は、プレビュー画像１２０の左右方向（即ち「Ａ」、「Ｂ」、「Ｃ」が並ぶ方向）がディスプレイ１２の長辺に沿うとともに、プレビュー画像１２０の上下方向（即ち「Ａ」、「Ｄ」が並ぶ方向）がディスプレイ１２の短辺に沿うように、プレビュー画像データを生成する。なお、本実施例では、上記の所定の印刷条件として、予め決められた余白のサイズを採用している。この結果、画像１２４の左右方向の全長（「Ａ」の左端から「Ｃ」の右端までの長さ）は、輪郭１２２の長辺の長さにほぼ等しくなる。従って、プレビュー画像１２０内の画像１２４の左右方向の全長は、Ｓ４４で表示されるプレビュー画像１００内の画像１０４の左右方向の全長よりも大きくなる。その結果、プレビュー画像１２０内の画像１２４を構成する部分画像（例えば１個のアルファベット「Ａ」）のサイズは、プレビュー画像１００内の画像１０４を構成する同じ部分画像のサイズよりも大きくなる。その他の点は、Ｓ４４と同様である。Ｓ５０を終えると、プレビュー画像表示処理が終了する。
【００４７】
（プレビュー画像更新処理）
本実施例では、図３のＳ２２で実行されるプレビュー画像更新処理の内容が、第１実施例と異なる。図９は、本実施例のプレビュー画像更新処理のフローチャートを示す。Ｓ６０では、表示データ生成部４４は、ポートレート印刷固定モードと表示依存モードとのうちのどちらのモードがユーザによって選択されているのかを判断する。ポートレート印刷固定モードが選択されている場合には、表示データ生成部４４は、Ｓ６０でＹＥＳと判断し、Ｓ６２に進む。また、表示依存モードが選択されている場合には、表示データ生成部４４は、Ｓ６０でＮＯと判断し、Ｓ６８に進む。ポートレート印刷固定モードの場合に実行されるＳ６２〜Ｓ６６は、第１実施例の図５のＳ６２〜Ｓ６６と同様である。
【００４８】
（表示依存モード）
Ｓ６８では、表示データ生成部４４は、携帯端末装置１０の姿勢を判断する。携帯端末装置１０が縦向きの姿勢である場合には、表示データ生成部４４は、Ｓ６８でＹＥＳと判断し、Ｓ６４に進む。一方において、携帯端末装置１０が横向きの姿勢である場合には、表示データ生成部４４は、Ｓ６８でＮＯと判断し、Ｓ７０に進む。Ｓ７０の処理は、設定済みの印刷条件（即ちモノクロ印刷、Ｌｅｔｔｅｒサイズ）が利用される点を除くと、図８のＳ５０の処理と同様である。Ｓ７０の処理の結果、図８のプレビュー画像１２０に代えて、８．５：１１の縦横比を有する輪郭２２２と、モノクロ画像である画像２２４と、を示すプレビュー画像２２０が、ディスプレイ１２に表示される。なお、図８のプレビュー画像表示処理の場合と比べて、印刷媒体の縦横比が変わるために、プレビュー画像２２０内の画像２２４の一部（「Ｃ」、「Ｆ」の一部）が欠損している。Ｓ７０を終えると、プレビュー画像更新処理が終了する。
【００４９】
（印刷データ生成処理）
本実施例では、図３のＳ２８で実行される印刷データ生成処理の内容が、第１実施例と異なる。図１０は、本実施例の印刷データ生成処理のフローチャートを示す。Ｓ８０では、印刷データ生成部４０（図１参照）は、ポートレート印刷固定モードと表示依存モードとのうちのどちらのモードがユーザによって選択されているのかを判断する。ポートレート印刷固定モードが選択されている場合には、印刷データ生成部４０は、Ｓ８０でＹＥＳと判断し、Ｓ８２に進む。ポートレート印刷固定モードの場合に実行されるＳ８２は、第１実施例の図６のＳ８２と同様である。また、表示依存モードが選択されている場合には、印刷データ生成部４０は、Ｓ８０でＮＯと判断し、Ｓ８４に進む。
【００５０】
（表示依存モード）
Ｓ８４では、印刷データ生成部４０は、携帯端末装置１０の姿勢を判断する。携帯端末装置１０が縦向きの姿勢である場合には、印刷データ生成部４０は、Ｓ８４でＹＥＳと判断し、Ｓ８２に進む。この結果、プリンタ６０は、印刷媒体３００に対する画像３０２のポートレート印刷を実行する。一方において、携帯端末装置１０が横向きの姿勢である場合には、印刷データ生成部４０は、Ｓ８４でＮＯと判断し、Ｓ８６に進む。Ｓ８６の処理では、印刷データ生成部４０は、ランドスケープ印刷用の印刷データを生成する。さらに、Ｓ８６では、送信部４２は、図３のＳ１２で取得されたプリンタ６０のＩＰアドレスを送信先として、ランドスケープ印刷用の印刷データを送信する。この結果、プリンタ６０は、ランドスケープ印刷用の印刷データを用いて、印刷媒体３００に画像４０２を印刷する。
【００５１】
Ｓ８６の処理は、基本的には、Ｓ８２の処理と同様である。ただし、Ｗｅｂデータによって表わされる画像９０（図２参照）のランドスケープ印刷をプリンタ６０に実行させるために、印刷データ生成部４０は、印刷されるべき画像４０２の左右方向（即ち「Ａ」、「Ｂ」、「Ｃ」が並ぶ方向）が印刷媒体の長辺に沿うとともに、当該画像４０２の上下方向（即ち「Ａ」、「Ｄ」が並ぶ方向）が印刷媒体の短辺に沿うように、ビットマップデータを生成する。なお、Ｓ８２の処理と同様に、予め決められている余白が利用されるために、画像４０２の左右方向の全長（「Ａ」の左端から「Ｃ」の右端までの長さ）は、印刷媒体３００の長辺の長さにほぼ等しくなる。当然ながら、印刷媒体３００の長辺の長さは、印刷媒体３００の短辺の長さよりも長い。従って、ランドスケープ印刷によって得られる画像４０２の左右方向の全長は、ポートレート印刷によって得られる画像３０２の左右方向の全長よりも長くなる。その結果、画像４０２を構成する部分画像（例えば１個のアルファベット「Ａ」）のサイズは、画像３０２を構成する同じ部分画像のサイズよりも大きくなる。
【００５２】
なお、Ｓ８６で生成される印刷データでは、個々の部分画像（個々のアルファベット「Ａ」等）のサイズが大きいために、１枚の印刷媒体３００に「Ａ」〜「Ｆ」のみしか印刷されず、「Ｇ」〜「Ｌ」が印刷されない。従って、Ｓ８６では、印刷データ生成部４０は、さらに、「Ｇ」〜「Ｌ」を他の印刷媒体に印刷するための印刷データを生成する。即ち、Ｓ８６の処理が実行される場合には、Ｓ８２の処理が実行される場合と比べて、必要な印刷媒体数が多くなる。Ｓ８６を終えると、印刷データ生成処理が終了する。
【００５３】
（本実施例の効果）
図７に示されるように、表示依存モードでは、携帯端末装置１０が縦向きの姿勢である状態で、印刷アプリケーション２８の起動指示が与えられると、プレビュー画像１００が表示される（図８のＳ４４）。次いで、印刷条件が設定されると、プレビュー画像２００が表示され（図９のＳ６４）、印刷開始指示が与えられると、印刷媒体３００に対するポートレート印刷が実行される（図１０のＳ８２）。また、表示依存モードでは、携帯端末装置１０が横向きの姿勢である状態で、印刷アプリケーション２８の起動指示が与えられると、プレビュー画像１２０が表示される（図８のＳ５０）。次いで、印刷条件が設定されると、プレビュー画像２２０が表示され（図９のＳ７０）、印刷開始指示が与えられると、印刷媒体３００に対するランドスケープ印刷が実行される（図１０のＳ８６）。即ち、表示依存モードでは、端末装置１０が縦向きの姿勢である状態と、端末装置１０が横向きの姿勢である状態と、のどちらの状態で印刷アプリケーション２８の起動指示が与えられるのかに応じて、ポートレート印刷とランドスケープ印刷とが切り替えられる。
【００５４】
本実施例では、ポートレート印刷固定モードのみを採用しているのではなく、表示依存モードも採用している。ユーザがモードを選択可能であるために、ユーザが望む印刷結果物をユーザに提供し得る。なお、本実施例では、図１０のＳ８６で生成される印刷データが、「第２種の印刷データ」の一例である。
【００５５】
（変形例１）上記の実施例では、「特定のデータ」のデータ形式として、ＨＴＭＬを採用しているが、それに代えて、ＸＨＴＭＬ形式のＷｅｂデータ、ＪＰＥＧ形式のデータ、ＢＭＰ形式のデータ等を採用してもよい。
【００５６】
（変形例２）上記の実施例では、「印刷データ」のデータ形式として、ＪＰＥＧを採用しているが、それに代えて、ＰＳ（Post Script）、ＸＰＳ、ＰＤＦ等を採用してもよい。一般的に言うと、印刷データは、プリンタが解釈可能なフォーマットを有していればよい。なお、例えば、印刷データ生成部４０は、プリンタ６０が解釈可能なフォーマットをプリンタ６０に問い合わせた結果として得られるフォーマットを有する印刷データを生成してもよい。
【００５７】
（変形例３）上記の実施例では、表示制御部３０は、携帯端末装置１０の姿勢に応じて、ディスプレイ１２に対する画像の向きを切り替えるが、それに代えて、表示制御部３０は、所定のボタンが操作された場合に、ディスプレイ１２に対する画像の向きを切り替えてもよい。また、表示制御部３０は、本体に対してディスプレイ１２が移動（例えば回転）する場合に、ディスプレイ１２に対する画像の向きを切り替えてもよい。
【００５８】
（変形例４）なお、上記の実施例では、図４のＳ４４等で採用される所定の印刷条件は、Ａ４サイズの印刷媒体を用いたカラー印刷であるが、それに代えて、制御部２０は、ユーザによって印刷条件が設定される毎に印刷条件を記憶し、図４のＳ４４等では、前回に設定された印刷条件を、所定の印刷条件として採用してもよい。
【００５９】
（変形例５）なお、本明細書で開示される各部（例えば、表示制御部３０、印刷データ生成部４０、送信部４２、表示データ生成部４４）の機能は、実施例に示されるように、ソフトウェア２６，２８によって実現されてもよいが、それに代えて、論理回路等のハードウェアによって実現されてもよい。
【００６０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
【００６１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００６２】
１０：携帯端末装置、１２：ディスプレイ、２８：印刷アプリケーション、６０：プリンタ、８０，９０：画像、１００，１１０，１２０：プレビュー画像、２００，２１０，２２０：更新後のプレビュー画像、３００：印刷媒体
【図１】
2014017002.tif 000003
【図２】
2014017002.tif 000004
【図３】
2014017002.tif 000005
【図４】
2014017002.tif 000006
【図５】
2014017002.tif 000007
【図６】
2014017002.tif 000008
【図７】
2014017002.tif 000009
【図８】
2014017002.tif 000010
【図９】
2014017002.tif 000011
【図１０】
2014017002.tif 000012
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
可搬型の端末装置に搭載される制御装置であって、
前記可搬型の端末装置は、
第１方向に沿った長辺と、前記第１方向に直交する第２方向に沿った短辺と、を有する矩形形状のディスプレイと、
前記端末装置を、前記ディスプレイの前記長辺が地表面に対して鉛直方向に沿って伸びる縦向きの姿勢にするための第１の動作が、ユーザによってなされる場合に、特定のＷｅｂページデータによって表わされる特定のＷｅｂ画像の上下方向が前記ディスプレイの前記長辺に沿うと共に前記特定のＷｅｂ画像の左右方向が前記ディスプレイの前記短辺に沿うように、前記特定のＷｅｂ画像を前記ディスプレイに表示させ、前記端末装置を、前記ディスプレイの前記短辺が地表面に対して鉛直方向に沿って伸びる横向きの姿勢にするための第２の動作が、前記ユーザによってなされる場合に、前記特定のＷｅｂ画像の上下方向が前記ディスプレイの前記短辺に沿うと共に前記特定のＷｅｂ画像の左右方向が前記ディスプレイの前記長辺に沿うように、前記特定のＷｅｂ画像を前記ディスプレイに表示させる表示制御部と、を備え、
前記制御装置は、
前記特定のＷｅｂ画像の印刷が指示される場合に、前記特定のＷｅｂ画像の印刷結果を示すプレビュー画像を表わす表示データであって、１枚の印刷媒体に対する印刷結果を示す前記プレビュー画像の全体を前記ディスプレイ内に収めて表示させるための前記表示データを生成して、前記表示データを前記ディスプレイに供給する表示データ生成部と、
前記プレビュー画像が表示された後に、前記特定のＷｅｂ画像の印刷の開始が指示される場合に、前記特定のＷｅｂページデータを用いて、プリンタが解釈可能なフォーマットを有する印刷データを生成する印刷データ生成部と、
前記印刷データを前記プリンタに送信する送信部と、を備え、
前記表示データ生成部は、前記特定のＷｅｂ画像の上下方向が前記ディスプレイの前記長辺に沿うと共に前記特定のＷｅｂ画像の左右方向が前記ディスプレイの前記短辺に沿って、前記特定のＷｅｂ画像が前記ディスプレイに表示される第１の状態で、前記ユーザによって前記特定のＷｅｂ画像の印刷の指示がなされる第１の場合に、印刷条件設定画面において前記ユーザによって印刷向きが指示されなくても、前記特定のＷｅｂ画像の一部である第１の部分Ｗｅｂ画像の印刷結果を示す第１種の前記プレビュー画像を表わす第１種の前記表示データを生成して、前記第１種の表示データを前記ディスプレイに供給し、
前記第１の部分Ｗｅｂ画像の前記印刷結果は、前記印刷媒体の前記短辺に沿って、前記特定のＷｅｂ画像の左右方向の全長が印刷されると共に、前記印刷媒体の前記長辺に沿って、前記特定のＷｅｂ画像の上下方向の全長のうち、前記特定のＷｅｂ画像の上端から、前記特定のＷｅｂ画像の上下方向の全長よりも短い第１の長さだけ印刷される結果であって、特定のオブジェクトが第１のサイズで印刷される結果を示し、
前記表示データ生成部は、さらに、前記特定のＷｅｂ画像の上下方向が前記ディスプレイの前記短辺に沿うと共に前記特定のＷｅｂ画像の左右方向が前記ディスプレイの前記長辺に沿って、前記特定のＷｅｂ画像が前記ディスプレイに表示される第２の状態で、前記ユーザによって前記特定のＷｅｂ画像の印刷の指示がなされる第２の場合に、前記印刷条件設定画面において前記ユーザによって印刷向きが指示されなくても、前記特定のＷｅｂ画像の一部である第２の部分Ｗｅｂ画像の印刷結果を示す第２種の前記プレビュー画像を表わす第２種の前記表示データを生成して、前記第２種の表示データを前記ディスプレイに供給し、
前記第２の部分Ｗｅｂ画像の前記印刷結果は、前記印刷媒体の前記長辺に沿って、前記特定のＷｅｂ画像の左右方向の全長が印刷されると共に、前記印刷媒体の前記短辺に沿って、前記特定のＷｅｂ画像の上下方向の全長のうち、前記特定のＷｅｂ画像の上端から、前記第１の長さよりも短い第２の長さだけ印刷される結果であって、前記特定のオブジェクトが前記第１のサイズよりも大きい第２のサイズで印刷される結果を示し、
前記表示データ生成部は、さらに、
前記第１種の表示データを前記ディスプレイに供給した後に、前記第２の動作が前記ユーザによってなされる場合に、前記印刷条件設定画面において前記ユーザによって印刷向きが指示されなくても、前記第２種の表示データを生成して、前記第２種の表示データを前記ディスプレイに供給し、
前記第２種の表示データを前記ディスプレイに供給した後に、前記第１の動作が前記ユーザによってなされる場合に、前記印刷条件設定画面において前記ユーザによって印刷向きが指示されなくても、前記第１種の表示データを生成して、前記第１種の表示データを前記ディスプレイに供給し、
前記印刷データ生成部は、
前記第１種のプレビュー画像が表示されている状態で、前記ユーザによって前記特定のＷｅｂ画像の印刷の開始が指示される場合に、前記印刷条件設定画面において前記ユーザによって印刷向きが指定されなくても、前記第１の部分Ｗｅｂ画像を前記印刷媒体に印刷するための第１種の印刷を、前記プリンタに実行させるための第１種の前記印刷データを生成し、
前記第２種のプレビュー画像が表示されている状態で、前記ユーザによって前記特定のＷｅｂ画像の印刷の開始が指示される場合に、前記印刷条件設定画面において前記ユーザによって印刷向きが指定されなくても、前記第２の部分Ｗｅｂ画像を前記印刷媒体に印刷するための第２種の印刷を、前記プリンタに実行させるための第２種の前記印刷データを生成する、
制御装置。
【請求項２】
前記表示データ生成部は、前記ユーザによって印刷条件が設定される前に、前記第１の場合に、前記第１種の表示データを前記ディスプレイに供給し、前記第２の場合に、前記第２種の表示データを前記ディスプレイに供給する、請求項１に記載の制御装置。
【請求項３】
前記特定のＷｅｂページデータは、ＨＴＭＬデータである、請求項１又は２に記載の制御装置。
【請求項４】
前記表示データ生成部は、前記プレビュー画像内の輪郭の縦横比が、Ａ４サイズの縦横比である１対ルート２となるように、前記表示データを生成する、請求項１から３のいずれか一項に記載の制御装置。
【請求項５】
可搬型の端末装置に搭載される制御装置のためのコンピュータプログラムであって、
前記可搬型の端末装置は、
第１方向に沿った長辺と、前記第１方向に直交する第２方向に沿った短辺と、を有する矩形形状のディスプレイと、
前記端末装置を、前記ディスプレイの前記長辺が地表面に対して鉛直方向に沿って伸びる縦向きの姿勢にするための第１の動作が、ユーザによってなされる場合に、特定のＷｅｂページデータによって表わされる特定のＷｅｂ画像の上下方向が前記ディスプレイの前記長辺に沿うと共に前記特定のＷｅｂ画像の左右方向が前記ディスプレイの前記短辺に沿うように、前記特定のＷｅｂ画像を前記ディスプレイに表示させ、前記端末装置を、前記ディスプレイの前記短辺が地表面に対して鉛直方向に沿って伸びる横向きの姿勢にするための第２の動作が、前記ユーザによってなされる場合に、前記特定のＷｅｂ画像の上下方向が前記ディスプレイの前記短辺に沿うと共に前記特定のＷｅｂ画像の左右方向が前記ディスプレイの前記長辺に沿うように、前記特定のＷｅｂ画像を前記ディスプレイに表示させる表示制御部と、を備え、
前記コンピュータプログラムは、前記制御装置に、以下の各処理、即ち、
前記特定のＷｅｂ画像の印刷が指示される場合に、前記特定のＷｅｂ画像の印刷結果を示すプレビュー画像を表わす表示データであって、１枚の印刷媒体に対する印刷結果を示す前記プレビュー画像の全体を前記ディスプレイ内に収めて表示させるための前記表示データを生成して、前記表示データを前記ディスプレイに供給する表示データ生成処理と、
前記プレビュー画像が表示された後に、前記特定のＷｅｂ画像の印刷の開始が指示される場合に、前記特定のＷｅｂページデータを用いて、プリンタが解釈可能なフォーマットを有する印刷データを生成する印刷データ生成処理と、
前記印刷データを前記プリンタに送信する送信処理と、を実行させ、
前記表示データ生成処理では、前記特定のＷｅｂ画像の上下方向が前記ディスプレイの前記長辺に沿うと共に前記特定のＷｅｂ画像の左右方向が前記ディスプレイの前記短辺に沿って、前記特定のＷｅｂ画像が前記ディスプレイに表示される第１の状態で、前記ユーザによって前記特定のＷｅｂ画像の印刷の指示がなされる第１の場合に、印刷条件設定画面において前記ユーザによって印刷向きが指示されなくても、前記特定のＷｅｂ画像の一部である第１の部分Ｗｅｂ画像の印刷結果を示す第１種の前記プレビュー画像を表わす第１種の前記表示データを生成して、前記第１種の表示データを前記ディスプレイに供給し、
前記第１の部分Ｗｅｂ画像の前記印刷結果は、前記印刷媒体の前記短辺に沿って、前記特定のＷｅｂ画像の左右方向の全長が印刷されると共に、前記印刷媒体の前記長辺に沿って、前記特定のＷｅｂ画像の上下方向の全長のうち、前記特定のＷｅｂ画像の上端から、前記特定のＷｅｂ画像の上下方向の全長よりも短い第１の長さだけ印刷される結果であって、特定のオブジェクトが第１のサイズで印刷される結果を示し、
前記表示データ生成処理では、さらに、前記特定のＷｅｂ画像の上下方向が前記ディスプレイの前記短辺に沿うと共に前記特定のＷｅｂ画像の左右方向が前記ディスプレイの前記長辺に沿って、前記特定のＷｅｂ画像が前記ディスプレイに表示される第２の状態で、前記ユーザによって前記特定のＷｅｂ画像の印刷の指示がなされる第２の場合に、前記印刷条件設定画面において前記ユーザによって印刷向きが指示されなくても、前記特定のＷｅｂ画像の一部である第２の部分Ｗｅｂ画像の印刷結果を示す第２種の前記プレビュー画像を表わす第２種の前記表示データを生成して、前記第２種の表示データを前記ディスプレイに供給し、
前記第２の部分Ｗｅｂ画像の前記印刷結果は、前記印刷媒体の前記長辺に沿って、前記特定のＷｅｂ画像の左右方向の全長が印刷されると共に、前記印刷媒体の前記短辺に沿って、前記特定のＷｅｂ画像の上下方向の全長のうち、前記特定のＷｅｂ画像の上端から、前記第１の長さよりも短い第２の長さだけ印刷される結果であって、前記特定のオブジェクトが前記第１のサイズよりも大きい第２のサイズで印刷される結果を示し、
前記表示データ生成処理では、さらに、
前記第１種の表示データを前記ディスプレイに供給した後に、前記第２の動作が前記ユーザによってなされる場合に、前記印刷条件設定画面において前記ユーザによって印刷向きが指示されなくても、前記第２種の表示データを生成して、前記第２種の表示データを前記ディスプレイに供給し、
前記第２種の表示データを前記ディスプレイに供給した後に、前記第１の動作が前記ユーザによってなされる場合に、前記印刷条件設定画面において前記ユーザによって印刷向きが指示されなくても、前記第１種の表示データを生成して、前記第１種の表示データを前記ディスプレイに供給し、
前記印刷データ生成処理では、
前記第１種のプレビュー画像が表示されている状態で、前記ユーザによって前記特定のＷｅｂ画像の印刷の開始が指示される場合に、前記印刷条件設定画面において前記ユーザによって印刷向きが指定されなくても、前記第１の部分Ｗｅｂ画像を前記印刷媒体に印刷するための第１種の印刷を、前記プリンタに実行させるための第１種の前記印刷データを生成し、
前記第２種のプレビュー画像が表示されている状態で、前記ユーザによって前記特定のＷｅｂ画像の印刷の開始が指示される場合に、前記印刷条件設定画面において前記ユーザによって印刷向きが指定されなくても、前記第２の部分Ｗｅｂ画像を前記印刷媒体に印刷するための第２種の印刷を、前記プリンタに実行させるための第２種の前記印刷データを生成する、
コンピュータプログラム。
【手続補正２】
【補正対象書類名】明細書
【補正対象項目名】０００５
【補正方法】変更
【補正の内容】
【０００５】
本発明は、可搬型の端末装置に搭載される制御装置であって、前記可搬型の端末装置は、第１方向に沿った長辺と、前記第１方向に直交する第２方向に沿った短辺と、を有する矩形形状のディスプレイと、前記端末装置を、前記ディスプレイの前記長辺が地表面に対して鉛直方向に沿って伸びる縦向きの姿勢にするための第１の動作が、ユーザによってなされる場合に、特定のＷｅｂページデータによって表わされる特定のＷｅｂ画像の上下方向が前記ディスプレイの前記長辺に沿うと共に前記特定のＷｅｂ画像の左右方向が前記ディスプレイの前記短辺に沿うように、前記特定のＷｅｂ画像を前記ディスプレイに表示させ、前記端末装置を、前記ディスプレイの前記短辺が地表面に対して鉛直方向に沿って伸びる横向きの姿勢にするための第２の動作が、前記ユーザによってなされる場合に、前記特定のＷｅｂ画像の上下方向が前記ディスプレイの前記短辺に沿うと共に前記特定のＷｅｂ画像の左右方向が前記ディスプレイの前記長辺に沿うように、前記特定のＷｅｂ画像を前記ディスプレイに表示させる表示制御部と、を備え、前記制御装置は、前記特定のＷｅｂ画像の印刷が指示される場合に、前記特定のＷｅｂ画像の印刷結果を示すプレビュー画像を表わす表示データであって、１枚の印刷媒体に対する印刷結果を示す前記プレビュー画像の全体を前記ディスプレイ内に収めて表示させるための前記表示データを生成して、前記表示データを前記ディスプレイに供給する表示データ生成部と、前記プレビュー画像が表示された後に、前記特定のＷｅｂ画像の印刷の開始が指示される場合に、前記特定のＷｅｂページデータを用いて、プリンタが解釈可能なフォーマットを有する印刷データを生成する印刷データ生成部と、前記印刷データを前記プリンタに送信する送信部と、を備え、前記表示データ生成部は、前記特定のＷｅｂ画像の上下方向が前記ディスプレイの前記長辺に沿うと共に前記特定のＷｅｂ画像の左右方向が前記ディスプレイの前記短辺に沿って、前記特定のＷｅｂ画像が前記ディスプレイに表示される第１の状態で、前記ユーザによって前記特定のＷｅｂ画像の印刷の指示がなされる第１の場合に、印刷条件設定画面において前記ユーザによって印刷向きが指示されなくても、前記特定のＷｅｂ画像の一部である第１の部分Ｗｅｂ画像の印刷結果を示す第１種の前記プレビュー画像を表わす第１種の前記表示データを生成して、前記第１種の表示データを前記ディスプレイに供給し、前記第１の部分Ｗｅｂ画像の前記印刷結果は、前記印刷媒体の前記短辺に沿って、前記特定のＷｅｂ画像の左右方向の全長が印刷されると共に、前記印刷媒体の前記長辺に沿って、前記特定のＷｅｂ画像の上下方向の全長のうち、前記特定のＷｅｂ画像の上端から、前記特定のＷｅｂ画像の上下方向の全長よりも短い第１の長さだけ印刷される結果であって、特定のオブジェクトが第１のサイズで印刷される結果を示し、前記表示データ生成部は、さらに、前記特定のＷｅｂ画像の上下方向が前記ディスプレイの前記短辺に沿うと共に前記特定のＷｅｂ画像の左右方向が前記ディスプレイの前記長辺に沿って、前記特定のＷｅｂ画像が前記ディスプレイに表示される第２の状態で、前記ユーザによって前記特定のＷｅｂ画像の印刷の指示がなされる第２の場合に、前記印刷条件設定画面において前記ユーザによって印刷向きが指示されなくても、前記特定のＷｅｂ画像の一部である第２の部分Ｗｅｂ画像の印刷結果を示す第２種の前記プレビュー画像を表わす第２種の前記表示データを生成して、前記第２種の表示データを前記ディスプレイに供給し、前記第２の部分Ｗｅｂ画像の前記印刷結果は、前記印刷媒体の前記長辺に沿って、前記特定のＷｅｂ画像の左右方向の全長が印刷されると共に、前記印刷媒体の前記短辺に沿って、前記特定のＷｅｂ画像の上下方向の全長のうち、前記特定のＷｅｂ画像の上端から、前記第１の長さよりも短い第２の長さだけ印刷される結果であって、前記特定のオブジェクトが前記第１のサイズよりも大きい第２のサイズで印刷される結果を示し、前記表示データ生成部は、さらに、前記第１種の表示データを前記ディスプレイに供給した後に、前記第２の動作が前記ユーザによってなされる場合に、前記印刷条件設定画面において前記ユーザによって印刷向きが指示されなくても、前記第２種の表示データを生成して、前記第２種の表示データを前記ディスプレイに供給し、前記第２種の表示データを前記ディスプレイに供給した後に、前記第１の動作が前記ユーザによってなされる場合に、前記印刷条件設定画面において前記ユーザによって印刷向きが指示されなくても、前記第１種の表示データを生成して、前記第１種の表示データを前記ディスプレイに供給し、前記印刷データ生成部は、前記第１種のプレビュー画像が表示されている状態で、前記ユーザによって前記特定のＷｅｂ画像の印刷の開始が指示される場合に、前記印刷条件設定画面において前記ユーザによって印刷向きが指定されなくても、前記第１の部分Ｗｅｂ画像を前記印刷媒体に印刷するための第１種の印刷を、前記プリンタに実行させるための第１種の前記印刷データを生成し、前記第２種のプレビュー画像が表示されている状態で、前記ユーザによって前記特定のＷｅｂ画像の印刷の開始が指示される場合に、前記印刷条件設定画面において前記ユーザによって印刷向きが指定されなくても、前記第２の部分Ｗｅｂ画像を前記印刷媒体に印刷するための第２種の印刷を、前記プリンタに実行させるための第２種の前記印刷データを生成する。
本明細書では、さらに、可搬型の端末装置に搭載される制御装置を開示する。可搬型の端末装置は、矩形形状のディスプレイと、表示制御部と、を備える。ディスプレイは、第１方向に沿った第１の長さと、第１方向に直交する第２方向に沿った第２の長さであって、第１の長さと異なる第２の長さと、を有する。表示制御部は、特定のデータによって表わされる特定の画像の上下方向が第１方向に沿うと共に特定の画像の左右方向が第２方向に沿って、特定の画像がディスプレイに表示される第１の状態と、特定の画像の上下方向が第２方向に沿うと共に特定の画像の左右方向が第１方向に沿って、特定の画像がディスプレイに表示される第２の状態と、を切り替える。